(57)【要約】【課題】この発明は、ロープガイドを不要として、安価な、かつロープ寿命の低下を抑制できるエレベータ装置の改修方法およびエレベータ装置を得る。【解決手段】エレベータ装置の改修する方法は、既設の巻き上げ機を撤去し、かご綱止め梁、おもり綱止め梁、新規の巻き上げ機およびそらせ車を既設の機械室台に設置し、第１から第４開口を上記機械室の床に互いに離間して形成して、巻き上げ機の綱車に巻き付けたロープの一端側を第２開口から昇降路内に下降させ、かご吊り車に掛け渡して上昇させ、第１開口を通して上記機械室に導いて、新規のロープの一端をかご綱止め梁に接続し、巻き上げ機の綱車に巻き付けたロープの他端側をそらせ車により軌道を変えて第３開口から昇降路内に下降させ、おもり吊り車に掛け渡して上昇させ、第４開口を通して機械室内に導いて、ロープの他端をおもり綱止め梁に接続する。【選択図】図１
2015071482.tif 000002
【特許請求の範囲】
【請求項１】
昇降路内に昇降可能に配設された乗りかごおよびつり合いおもりと、鉛直方向の上方から見て、上記乗りかごの吊り心および上記つり合いおもりの吊り心を挟んで機械室の床上に２列に設置された一対の機械室台上に配設された既設の巻き上げ機と、を備え、上記床に形成された開口を通るロープを介して１：１ローピングにより上記乗りかごおよび上記つり合いおもりを吊支するエレベータ装置を、２：１ローピングにより上記乗りかごおよび上記つり合いおもりを吊支するエレベータ装置に改修する方法において、
上記既設の巻き上げ機を撤去する工程と、
かご綱止め梁を上記一対の機械室台に設置する工程と、
おもり綱止め梁を上記一対の機械室台に設置する工程と、
第１開口、第２開口、第３開口および第４開口を上記機械室の床に互いに離間して形成する工程と、
新規の巻き上げ機を上記一対の機械室台上に設置する工程と、
そらせ車を上記一対の機械室台に設置する工程と、
かご吊り車を上記乗りかごに設置する工程と、
おもり吊り車を上記つり合いおもりに設置する工程と、
上記巻き上げ機の綱車に巻き付けた新規のロープの一端側を上記第２開口から上記昇降路内に下降させ、上記かご吊り車に掛け渡して上昇させ、上記第１開口を通して上記機械室に導いて、上記新規のロープの一端を上記かご綱止め梁に接続し、上記巻き上げ機の綱車に巻き付けた上記新規のロープの他端側を上記そらせ車により軌道を変えて上記第３開口から上記昇降路内に下降させ、上記おもり吊り車に掛け渡して上昇させ、上記第４開口を通して上記機械室内に導いて、上記新規のロープの他端を上記おもり綱止め梁に接続する工程と、
を備えているエレベータ装置の改修方法。
【請求項２】
上記新規の巻き上げ機および上記そらせ車は、上記乗りかごの吊り心および上記つり合いおもりの吊り心の位置を変更しないように配置されることを特徴とする請求項１記載のエレベータ装置の改修方法。
【請求項３】
上記既設の巻き上げ機から上記つり合いおもりに達する上記ロープが通る上記開口を、上記第３開口に用いることを特徴とする請求項１又は請求項２記載のエレベータ装置の改修方法。
【請求項４】
上記新規の巻き上げ機は、ＰＭモータを備えた巻き上げ機であることを特徴とする請求項１から請求項３のいずれか１項に記載のエレベータ装置の改修方法。
【請求項５】
昇降路内に昇降可能に配設され、それぞれ、かご吊り車およびおもり吊り車が配設された乗りかごおよびつり合いおもりと、
鉛直方向の上方から見て、上記乗りかごの吊り心および上記つり合いおもりの吊り心を挟んで機械室の床上に２列に設置された一対の機械室台と、
上記一対の機械室台上に設置された巻き上げ機と、
上記一対の機械室台上に設置されたそらせ車と、を備え、
上記乗りかごおよび上記つり合いおもりが２：１ローピングにより吊支されるエレベータ装置において、
かご綱止め梁が上記一対の機械室台に設置され、
おもり綱止め梁が上記一対の機械室台に設置され、
第１開口、第２開口、第３開口および第４開口が上記機械室の床に互いに離間して形成され、
ロープが、一端を上記かご綱止め梁に接続されて上記第１開口を通って上記昇降路内に下降し、上記かご吊り車に掛け渡されて上昇し、上記第２開口を通って上記機械室に導かれ、上記巻き上げ機の綱車に巻かれ、上記そらせ車により軌道を変えられて上記第３開口を通って上記昇降路内に下降し、上記おもり吊り車に掛け渡されて上昇し、上記第４開口を通って上記機械室内に導かれ、他端を上記おもり綱止め梁に接続されていることを特徴とするエレベータ装置。
【請求項６】
上記おもり綱止め梁が、上記かご綱止め梁より高い位置に設置されていることを特徴とする請求項５記載のエレベータ装置。
【請求項７】
上記かご綱止め梁が上記おもり綱止め梁を兼用していることを特徴とする請求項５記載のエレベータ装置。
【発明の詳細な説明】
【技術分野】
【０００１】
この発明は、１：１ローピングのエレベータ装置を２：１ローピングのエレベータ装置に改修するエレベータ装置の改修方法およびエレベータ装置に関するものである。
【背景技術】
【０００２】
従来のエレベータ装置の改修方法では、１：１ローピングのエレベータ装置を２：１ローピングのエレベータ装置に改修する際に、ロープの、機械室内の巻き上げ機から既設の開口を通って昇降路内に達する第１部分に対し、昇降路内から機械室内のヒッチ部に達する第２部分を、当該既設の開口近くに設置したロープガイドにより、当該既設の開口内において第１部分と干渉しない範囲で近づけることで、第１部分および第２部分を当該既設の開口内に挿通させていた（例えば、特許文献１参照）。
【先行技術文献】
【特許文献】
【０００３】
【特許文献１】特開２０１２−１７１６５号公報
【発明の概要】
【発明が解決しようとする課題】
【０００４】
従来のエレベータ装置の改修方法では、既設の開口近くに設置したロープガイドにより、第２部分を既設の開口内において第１部分と干渉しない範囲で近づけ、第１部分および第２部分を既設の開口内に挿通させている。そこで、ロープガイドを用いる必要があり、低コスト化が図れないという課題があった。さらに、ロープガイドによりロープを曲げる分、ロープの曲げ回数が増え、ロープの寿命が低下するという課題があった。
【０００５】
また、ロープガイドによるロープの曲げ角度が大きくなると、ロープ寿命が低下することから、巻き上げ機の取付高さを高くして、ロープガイドによるロープの曲げ角度を小さくする必要がある。しかし、巻き上げ機の取付高さは、既設の機械室の高さによって制限されるので、既設の機械室の高さが低い場合には、１：１ローピングのエレベータ装置を２：１ローピングのエレベータ装置に改修できなかった。
【０００６】
本発明は、このような課題を解決するためになされたものであり、ロープガイドを不要とし、ロープの曲げ回数の増加を無くして、安価な、かつロープ寿命の低下を抑制できるエレベータ装置の改修方法およびエレベータ装置を得ることを目的とする。
【課題を解決するための手段】
【０００７】
本発明に係るエレベータ装置の改修方法は、昇降路内に昇降可能に配設された乗りかごおよびつり合いおもりと、鉛直方向の上方から見て、上記乗りかごの吊り心および上記つり合いおもりの吊り心を挟んで機械室の床上に２列に設置された一対の機械室台上に配設された既設の巻き上げ機と、を備え、上記床に形成された開口を通るロープを介して１：１ローピングにより上記乗りかごおよび上記つり合いおもりを吊支するエレベータ装置を、２：１ローピングにより上記乗りかごおよび上記つり合いおもりを吊支するエレベータ装置に改修する方法において、上記既設の巻き上げ機を撤去する工程と、かご綱止め梁を上記一対の機械室台に設置する工程と、おもり綱止め梁を上記一対の機械室台に設置する工程と、第１開口、第２開口、第３開口および第４開口を上記機械室の床に互いに離間して形成する工程と、新規の巻き上げ機を上記一対の機械室台上に設置する工程と、そらせ車を上記一対の機械室台に設置する工程と、かご吊り車を上記乗りかごに設置する工程と、おもり吊り車を上記つり合いおもりに設置する工程と、上記巻き上げ機の綱車に巻き付けた新規のロープの一端側を上記第２開口から上記昇降路内に下降させ、上記かご吊り車に掛け渡して上昇させ、上記第１開口を通して上記機械室に導いて、上記新規のロープの一端を上記かご綱止め梁に接続し、上記巻き上げ機の綱車に巻き付けた上記新規のロープの他端側を上記そらせ車により軌道を変えて上記第３開口から上記昇降路内に下降させ、上記おもり吊り車に掛け渡して上昇させ、上記第４開口を通して上記機械室内に導いて、上記新規のロープの他端を上記おもり綱止め梁に接続する工程と、を備えている。
【発明の効果】
【０００８】
本発明によれば、第１開口には、かご綱止め梁からかご吊り車に至るロープの領域のみが通り、第２開口には、巻き上げ機の綱車からかご吊り車に至るロープの領域のみが通り、第３開口には、そらせ車からおもり吊り車に至るロープの領域のみが通り、第４開口には、おもり吊り車からおもり綱止め梁に至るロープの領域のみが通るので、ロープガイドが不要となる。そこで、ロープの曲げ回数の増加が無く、ロープ寿命の低下を抑制できる２：１ローピングのエレベータ装置に安価に改修できる。
【図面の簡単な説明】
【０００９】
【図１】この発明の実施の形態１に係る改修されたエレベータ装置を鉛直上方から見た平面図である。
【図２】この発明の実施の形態１に係る改修されたエレベータ装置を示す要部正面図である。
【図３】この発明の実施の形態１に係る改修されたエレベータ装置を示す要部側面図である。
【図４】この発明の実施の形態２に係る改修されたエレベータ装置を鉛直上方から見た平面図である。
【図５】この発明の実施の形態２に係る改修されたエレベータ装置を示す要部正面図である。
【図６】この発明の実施の形態２に係る改修されたエレベータ装置を示す要部側面図である。
【図７】この発明の実施の形態３に係る改修されたエレベータ装置を鉛直上方から見た平面図である。
【図８】この発明の実施の形態３に係る改修されたエレベータ装置を示す要部側面図である。
【図９】この発明の実施の形態４に係る改修されたエレベータ装置を鉛直上方から見た平面図である。
【図１０】この発明の実施の形態４に係る改修されたエレベータ装置を示す要部側面図である。
【図１１】１：１ローピングのエレベータ装置の構成を模式的に示す正面図である。
【図１２】１：１ローピングのエレベータ装置の構成を模式的に示す側面図である。
【発明を実施するための形態】
【００１０】
まず、実施の形態を記載する前に、既設の１：１ローピングのエレベータ装置について図１１および図１２を用いて説明する。図１１は１：１ローピングのエレベータ装置の構成を模式的に示す正面図、図１２は１：１ローピングのエレベータ装置の構成を模式的に示す側面図である。
【００１１】
既設のエレベータ装置は、図１１および図１２に示されるように、乗りかご２０とつり合いおもり２２が、それぞれ、ガイドレール（図示せず）に案内されて、昇降路１内を昇降可能に配設されている。機械室台１０４が、機械室２の床２ａに互いに離間して平行に２列に設置されている。そして、巻き上げ機１００が、機械室台１０４間に掛け渡して取り付けられた巻き上げ機台１０３に設置されている。巻き上げ機１００の綱車１０１に巻かれたロープ１０５の一端が、床２ａに形成された開口１０６を通って昇降路１内に下げられ、乗りかご２０の吊り心Ａに結合され、ロープ１０５の他端が、そらせ車１０２により軌道を変えられて床２ａに形成された開口１０７を通って昇降路１内に下げられ、つり合いおもり２２の吊り心Ｂに結合され、１：１ローピングを構成している。
【００１２】
巻き上げ機１００は、歯車減速機を用いて電動機の回転を減速し、綱車１０１を回転駆動する。そこで、綱車１０１は、低速回転でトルクが大きい。ロープ１０５は、綱車１０１の回転により走行し、乗りかご２０とつり合いおもり２２が昇降路１内を昇降する。
【００１３】
実施の形態１．
図１はこの発明の実施の形態１に係る改修されたエレベータ装置を鉛直上方から見た平面図、図２はこの発明の実施の形態１に係る改修されたエレベータ装置を示す要部正面図、図３はこの発明の実施の形態１に係る改修されたエレベータ装置を示す要部側面図である。
【００１４】
図１から図３において、巻き上げ機台３が、機械室２の床２ａ上に２列に設置された機械室台１０４に沿って配置され、防振ゴム４を介して、機械室台１０４上に設置されている。巻き上げ機５が、一対の巻き上げ機台３上に設置されている。一対のかご綱止め梁８が、一対の機械室台１０４間に掛け渡されて、巻き上げ機５の機械室台１０４の長さ方向の一側に設置されている。そして、かご綱止め板９が、一対のかご綱止め梁８間に掛け渡されて、一対の機械室台１０４間に設置されている。一対のおもり綱止め梁１０が、一対の機械室台１０４間に掛け渡されて、巻き上げ機５の機械室台１０４の長さ方向の他側に設置されている。一対の嵩上げ梁１１が、一対のおもり綱止め梁１０上に設置されている。そして、おもり綱止め板１２が、一対の嵩上げ梁１１間に掛け渡されて、一対の機械室台１０４間に設置されている。
【００１５】
第１開口１３が床２ａのかご綱止め板９の下方位置に形成されている。第２開口１４が床２ａの綱車６の機械室台１０４の長さ方向の一側端部の下方位置に形成されている。第３開口１５が床２ａのそらせ車７の機械室台１０４の長さ方向の他側端部の下方位置に形成されている。第４開口１６が床２ａのおもり綱止め板１２の下方位置に形成されている。
【００１６】
このように構成されたエレベータ装置では、ロープ１７の一端がシャックル１８を介してかご綱止め板９に接続され、第１開口１３を通って昇降路１内に下降し、かご吊り車２１に巻き掛けられて上昇し、第２開口１４を通って機械室２内に入る。そして、ロープ１７は、綱車６に巻かれ、その後そらせ車７により軌道を変えられる。そらせ車７により軌道を変えられたロープ１７は、第３開口１５を通って昇降路１内に下降し、おもり吊り車２３に巻き掛けられて上昇し、第４開口１６を通って機械室２内に入る。そして、ロープ１７の他端がシャックル１９を介しておもり綱止め板１２に接続され、２：１ローピングを構成している。
【００１７】
このエレベータ装置は、２：１ローピングに構成されているので、低トルクの巻き上げ機を用いることができる。ここでは、巻き上げ機５として、ＰＭ（永久磁石）同期モータを備えた薄型巻き上げ機を用いている。
【００１８】
つぎに、既設の１：１ローピングのエレベータ装置を２：１ローピングのエレベータ装置に改修する方法について説明する。
【００１９】
まず、既設の巻き上げ機１００および巻き上げ機台１０３を撤去する。ついで、第１開口１３、第２開口１４、第３開口１５および第４開口１６を、機械室２の床２ａの設定された位置にあけ、既設の開口１０６，１０７を塞口する。第１から第４開口１３，１４，１５，１６は、鉛直方向の上方から見て、２列に設置されている既設の機械室台１０４間に位置する。
【００２０】
ついで、防振ゴム４を間に配置して、巻き上げ機台３を既設の機械室台１０４上に設置する。その後、巻き上げ機５およびそらせ車７を巻き上げ機台３に設置する。このとき、改修されたエレベータ装置における乗りかご２０およびつり合いおもり２２の吊り心の位置が、既設のエレベータ装置における乗りかご２０およびつり合いおもり２２の吊り心の位置と変わらないように、ロープ１７の落とし位置を設定し、ロープ１７が設定された位置に落とされるように巻き上げ機５およびそらせ車７を調整する。
【００２１】
ついで、一対のかご綱止め梁８を、一対の機械室台１０４間に掛け渡し、巻き上げ機５の機械室台１０４の長さ方向の一側に設置する。そして、かご綱止め板９を、一対のかご綱止め梁８間に掛け渡し、一対の機械室台１０４間に設置する。また、一対のおもり綱止め梁１０を、一対の機械室台１０４間に掛け渡し、巻き上げ機５の機械室台１０４の長さ方向の他側に設置する。そして、一対の嵩上げ梁１１を、一対のおもり綱止め梁１０上に設置する。ついで、おもり綱止め板１２を、一対の嵩上げ梁１１間に掛け渡し、一対の機械室台１０４間に設置する。
【００２２】
ついで、かご吊り車２１を乗りかご２０に設置し、おもり吊り車２３をつり合いおもり２２に設置する。そして、綱車６に巻かれたロープ１７の一端側を、第２開口１４を通して昇降路１内に下降させ、かご吊り車２１に巻き掛けて上昇させ、第１開口１３から機械室２内に引き入れ、その一端をシャックル１８を介してかご綱止め板９に接続する。また、綱車６に巻かれたロープ１７の他端側をそらせ車７により軌道を変え、第３開口１５を通して昇降路１内に下降させ、おもり吊り車２３に巻き掛けて上昇させ、第４開口１６を通して機械室２内に引き入れ、その他端をシャックル１９を介しておもり綱止め板１２に接続する。これにより、１：１ローピングのエレベータ装置から２：１ローピングのエレベータ装置への改修が完了する。
【００２３】
この実施の形態１では、かご吊り車２１から上昇してかご綱止め板９に至るロープ１７の部分と綱車６に至るロープ１７の部分が、それぞれ、第１および第２開口１３，１４に通され、おもり吊り車２３から上昇して綱車６に至るロープ１７の部分とおもり綱止め板１２に至るロープ１７の部分が、それぞれ、第３および第４開口１５，１６に通される。そこで、従来技術において、１つの開口に２つのロープを通すために、一方のロープを曲げていたロープガイドが不要となり、低コスト化が図られる。また、ロープガイドによるロープ１７の曲げがないので、ロープ１７の曲げ回数の増加が無く、ロープ寿命の低下を抑えることができる。さらに、巻き上げ機５の設置高さを必要以上に高くする必要がないので、既設の機械室２の高さが低い場合にも、１：１ローピングのエレベータ装置を２：１ローピングのエレベータ装置に改修できる。
【００２４】
また、乗りかご２０の吊り心Ａおよびつり合いおもり２２の吊り心Ｂの位置が既設のエレベータ装置と同じ位置となるように、巻き上げ機５およびそらせ車７を設置している。そこで、改修後も、かご側ガイドレールおよびおもり側ガイドレールの設置位置が変わらないので、かご側ガイドレールおよびおもり側ガイドレールの取り外し・据付工事が不要となり、エレベータ装置の改修コストを少なくすることができる。
【００２５】
かご綱止め板９およびおもり綱止め板１２が、機械室台１０４に掛け渡された一対のかご綱止め梁８および一対のおもり綱止め梁１０に取り付けられている。そこで、かご綱止め板９およびおもり綱止め板１２で受ける荷重が既設の機械室台１０４で受けられるので、かご綱止め板９およびおもり綱止め板１２で受ける荷重を受ける台を新たに設置する必要がない。
【００２６】
おもり綱止め板１２の高さ位置が嵩上げ梁１１により高くなっているので、つり合いおもり２２が最高高さ位置に上昇したときのシャックル角度を小さくでき、ロープ１７がおもり吊り車２３から外れるように事態の発生を抑えることができる。
【００２７】
実施の形態２．
図４はこの発明の実施の形態２に係る改修されたエレベータ装置を鉛直上方から見た平面図、図５はこの発明の実施の形態２に係る改修されたエレベータ装置を示す要部正面図、図６はこの発明の実施の形態２に係る改修されたエレベータ装置を示す要部側面図である。
【００２８】
図４から図６において、一対の支持梁２５が、浮かせ台２６を間に配置して、一対の機械室台１０４間に掛け渡たされ、巻き上げ機５の機械室台１０４の長さ方向の両側に設置される。そして、綱止め梁２７が、一対の支持梁２５間に掛け渡され、巻き上げ機５の綱車６側に綱車６と離間して、かつ、機械室台１０４間に、機械室台１０４の長さ方向に延びるように設置される。また、かご綱止め板９が、綱止め梁２７の巻き上げ機５の機械室台１０４の長さ方向の一側に設置される。さらに、おもり綱止め板１２が、綱止め梁２７の巻き上げ機５の機械室台１０４の長さ方向の他側に設置される。
なお、他の構成は上記実施の形態１と同様に構成されている。
【００２９】
この実施の形態２によれば、かご綱止め板９およびおもり綱止め板１２が同じ綱止め梁２７に取り付けられているので、部品点数が削減され、綱止めの据付コストが低減される。
【００３０】
実施の形態３．
図７はこの発明の実施の形態３に係る改修されたエレベータ装置を鉛直上方から見た平面図、図８はこの発明の実施の形態３に係る改修されたエレベータ装置を示す要部側面図である。
【００３１】
図７および図８において、３つの支持梁２５が、一対の機械室台１０４間に掛け渡され、巻き上げ機５の機械室台１０４の長さ方向の両側および中央に設置される。そして、綱止め梁２７が、３つの支持梁２５に掛け渡され、巻き上げ機５の綱車６側に綱車６と離間して、かつ、一対の機械室台１０４間に、機械室台１０４の長さ方向に延びるように設置される。また、かご綱止め板９が、綱止め梁２７の巻き上げ機５の機械室台１０４の長さ方向の一側に設置される。さらに、おもり綱止め板１２が、綱止め梁２７の巻き上げ機５の機械室台１０４の長さ方向の他側に設置される。
なお、他の構成は上記実施の形態１と同様に構成されている。
【００３２】
この実施の形態３によれば、かご綱止め板９およびおもり綱止め板１２が同じ綱止め梁２７に取り付けられているので、部品点数が削減され、綱止めの据付コストが低減される。また、浮かせ台２６を省略しているので、上記実施の形態２にくらべて、綱止めの据付コストが低減される。
【００３３】
実施の形態４．
図９はこの発明の実施の形態４に係る改修されたエレベータ装置を鉛直上方から見た平面図、図１０はこの発明の実施の形態４に係る改修されたエレベータ装置を示す要部側面図である。
【００３４】
図９および図１０において、かご綱止め梁８が、一対の機械室台１０４間に掛け渡されて、巻き上げ機５の機械室台１０４の長さ方向の一側に設置されている。かご綱止め板９が、かご綱止め梁８の長さ方向の中央に設置されている。おもり綱止め梁１０が、一対の機械室台１０４間に掛け渡されて、巻き上げ機５の機械室台１０４の長さ方向の他側に設置されている。おもり綱止め板１２が、おもり綱止め梁１０の一対の嵩上げ梁１１からの突出部に設置されている。ロープ１７の両端が、それぞれ、かご綱止め板９とおもり綱止め板１２に接続される。
【００３５】
一対の支持梁２８が、かご綱止め梁８とおもり綱止め梁１０とに掛け渡されて、一対の機械室台１０４の上方に位置するように、配設されている。そして、巻き上げ機台３が、支持梁２８に沿って配置され、防振ゴム４を介して、支持梁２８上に設置されている。そして、そらせ車７からのロープ１７の落とし位置が、既設の開口１０７となるように、巻き上げ機５およびそらせ車７の設置位置が調節されている。
なお、他の構成は上記実施の形態１と同様に構成されている。
【００３６】
この実施の形態４によれば、既設の開口１０７を第３開口１５として利用しているので、新たにあける開口の数が３つとなり、ロープ穴あけ作業時間を短縮することができる。
【符号の説明】
【００３７】
１  昇降路、２  機械室、２ａ  床、５  巻き上げ機、６  綱車、７  そらせ車、８  かご綱止め梁、１０  おもり綱止め梁、１３  第１開口、１４  第２開口、１５  第３開口、１６  第４開口、１７  ロープ、２０  乗りかご、２１  かご吊り車、２２  つり合いおもり、２３  おもり吊り車、１００  既設の巻き上げ機、１０４  機械室台、１０７  開口、Ａ  乗りかごの吊り心、Ｂ  つり合いおもりの吊り心。
【図１】
2015071482.tif 000003
【図２】
2015071482.tif 000004
【図３】
2015071482.tif 000005
【図４】
2015071482.tif 000006
【図５】
2015071482.tif 000007
【図６】
2015071482.tif 000008
【図７】
2015071482.tif 000009
【図８】
2015071482.tif 000010
【図９】
2015071482.tif 000011
【図１０】
2015071482.tif 000012
【図１１】
2015071482.tif 000013
【図１２】
2015071482.tif 000014